(57)【要約】【課題】コンクリートフーチングに生じる支圧破壊を防止することができるコンクリート充填鋼管とコンクリートフーチングの接合部構造を提供する。【解決手段】コンクリート充填鋼管とコンクリートフーチングの接合部の構造において、コンクリート充填鋼管１０１とコンクリートフーチング接合部のこの鋼管１０１端面に、支圧補強板１０３を施工する。【選択図】    図１
2004169448.tif 000002
【特許請求の範囲】
【請求項１】
コンクリート充填鋼管とコンクリートフーチングの接合部の該鋼管端面に、支圧補強板を施工することを特徴とするコンクリート充填鋼管とコンクリートフーチングの接合部の構造。
【請求項２】
請求項１記載のコンクリート充填鋼管とコンクリートフーチングの接合部の構造において、前記支圧補強板がドーナツ状鋼板であることを特徴とするコンクリート充填鋼管とコンクリートフーチングの接合部の構造。
【請求項３】
請求項２記載のコンクリート充填鋼管とコンクリートフーチングの接合部の構造において、前記支圧補強板は複数の貫通孔を有することを特徴とするコンクリート充填鋼管とコンクリートフーチングの接合部の構造。
【請求項４】
コンクリート充填鋼管とコンクリートフーチングの接合部の該鋼管端面に、支圧補強網筋を施工することを特徴とするコンクリート充填鋼管とコンクリートフーチングの接合部の構造。
【請求項５】
請求項４記載のコンクリート充填鋼管とコンクリートフーチングの接合部の構造において、前記支圧補強網筋がドーナツ状網筋であることを特徴とするコンクリート充填鋼管とコンクリートフーチングの接合部の構造。
【請求項６】
コンクリート充填鋼管とコンクリートフーチングの接合部の該鋼管のコンクリートフーチングの上面に、前記鋼管の外周部に固着される支圧補強板を施工することを特徴とするコンクリート充填鋼管とコンクリートフーチングの接合部の構造。
【請求項７】
請求項６記載のコンクリート充填鋼管とコンクリートフーチングの接合部の構造において、前記支圧補強板がドーナツ状鋼板であることを特徴とするコンクリート充填鋼管とコンクリートフーチングの接合部の構造。
【発明の詳細な説明】
【０００１】
【発明の属する技術分野】
本発明は、コンクリート充填鋼管とコンクリートフーチングの接合部の構造に関するものである。
【０００２】
【従来の技術】
従来、コンクリート充填鋼管とコンクリートフーチングの接合部においては、アンカー鉄筋を用いる接合構造が一般的である。
【０００３】
図８はかかる従来のコンクリート充填鋼管とコンクリートフーチングの接合部構造を示す図である。
【０００４】
この図において、１はコンクリート充填鋼管、２はアンカー筋、３はコンクリートフーチング、４は垂直荷重、５は水平荷重である。
【０００５】
なお、塑性ヒンジ区間で主鉄筋をアンボンドした鉄筋コンクリート橋脚の履歴特性の報告が下記非特許文献１でなされている。
【０００６】
また、鋼管杭とフーチングの接合部に関する交番載荷実験についての報告が下記非特許文献２でなされている。
【０００７】
【非特許文献１】
土木学会論文集Ｎｏ．６８９／Ｉ−５７，Ｐ４５−６４，２００１．１０
【非特許文献２】
第５７回年次学術講演会講演概要集  平成１４年９月２５日（水）〜２７日（金）、社団法人  土木学会  ｐｐ．４３５−４３６
【０００８】
【発明が解決しようとする課題】
現状のコンクリートフーチングの接合部の設計方法では、コンクリートフーチングに生じる支圧破壊をより有効に防止することができず、破壊耐力の向上および変形性能の向上の面では難があった。
【０００９】
本発明は、上記状況に鑑みて、コンクリートフーチングに生じる支圧破壊を防止することができるコンクリート充填鋼管とコンクリートフーチングの接合部の構造を提供することを目的とする。
【００１０】
【課題を解決するための手段】
本発明は、上記目的を達成するために、
〔１〕コンクリート充填鋼管とコンクリートフーチングの接合部の構造において、コンクリート充填鋼管とコンクリートフーチングの接合部のその鋼管端面に、支圧補強板を施工することを特徴とする。
【００１１】
〔２〕上記〔１〕記載のコンクリート充填鋼管とコンクリートフーチングの接合部の構造において、前記支圧補強板がドーナツ状鋼板であることを特徴とする。
【００１２】
〔３〕上記〔２〕記載のコンクリート充填鋼管とコンクリートフーチングの接合部の構造において、前記支圧補強板には複数の貫通孔を有することを特徴とする。
【００１３】
〔４〕コンクリート充填鋼管とコンクリートフーチングの接合部の構造において、コンクリート充填鋼管とコンクリートフーチングの接合部のその鋼管端面に、支圧補強網筋を施工することを特徴とする。
【００１４】
〔５〕上記〔４〕記載のコンクリート充填鋼管とコンクリートフーチングの接合部の構造において、前記支圧補強網筋がドーナツ状網筋であることを特徴とする。
【００１５】
〔６〕コンクリート充填鋼管とコンクリートフーチングの接合部の構造において、コンクリート充填鋼管とコンクリートフーチングの接合部のその鋼管のコンクリートフーチングの上面に、前記鋼管の外周部に固着される支圧補強板を施工することを特徴とする。
【００１６】
〔７〕上記〔６〕記載のコンクリート充填鋼管とコンクリートフーチングの接合部の構造において、前記支圧補強板がドーナツ状鋼板であることを特徴とする。
【００１７】
【発明の実施の形態】
以下、本発明の実施の形態について詳細に説明する。
【００１８】
図１は本発明の第１実施例を示すドーナツ状鋼板を有するＣＦＴとコンクリートフーチング接合部構造の模式図、図２はそのドーナツ状鋼板の平面図、図３はそのドーナツ状鋼板のエレメントを示す斜視図である。
【００１９】
これらの図に示すように、１０１はコンクリート充填鋼管、１０２はそのコンクリート充填鋼管１０１とコンクリートフーチング接合部に施工されるアンカー鉄筋、１０３はそのコンクリート充填鋼管１０１の端面（下端）に接するが固着（溶接）はされない支圧補強板としてのドーナツ状鋼板であり、ここでは４枚の鋼板エレメント１０３Ａを組み合わせ溶接を行い、一枚のドーナツ状鋼板１０３を構成するようにしている。１０４はドーナツ状鋼板１０３に形成される複数個の貫通孔、１０５はコンクリートフーチングである。
【００２０】
このように構成したので、コンクリート充填鋼管１０１にかかる垂直荷重は、ドーナツ状鋼板１０３で受けることができる。なお、コンクリート充填鋼管１０１の先端にドーナツ状鋼板１０３を固着（溶接）すると、コンクリート充填鋼管１０１に引っ張り荷重（水平荷重によるコンクリート充填鋼管の傾きの場合も同様）が作用するとドーナツ状鋼板１０３も一体に引っ張られることになり薄くて弱いコンクリートフーチング１０５が破壊される恐れがあるので、コンクリート充填鋼管１０１とドーナツ状鋼板１０３は接するが、互いに固着はしないような構造となっている。
【００２１】
また、ドーナツ状鋼板１０３には複数の貫通孔１０４が形成されているので、この貫通孔１０４にもコンクリートが充填されることにより、埋設部材としての強度を高めることができる。
【００２２】
上記したように、第１実施例によれば、支圧補強板には、孔あき鋼板を用い、コンクリートの縁切りを防止するようにしたので、コンクリートフーチングに生じる支圧破壊を防止することができる。
【００２３】
また、コンクリートフーチングの破壊耐力の向上および変形性能の向上を図ることができる。
【００２４】
図４は本発明の第２実施例を示すドーナツ状鋼板を有するＣＦＴとコンクリートフーチング接合部構造の模式図、図５はそのドーナツ状網筋の平面図である。なお、図１と同様の部分は、同じ符号を付してそれらの説明は省略する。
【００２５】
この実施例においては、第１実施例のドーナツ状鋼板１０３に代えて、ドーナツ状網筋１１１を配置するようにしている。
【００２６】
このように構成したので、コンクリート充填鋼管１０１にかかる垂直荷重は、支圧補強網筋としてのドーナツ状網筋１１１で受けることができる。なお、コンクリート充填鋼管１０１の端面（下端）にドーナツ状網筋１１１を固着（溶接）すると、コンクリート充填鋼管１０１に引っ張り荷重（水平荷重によるコンクリート充填鋼管の傾きの場合も同様）が作用するとドーナツ状網筋１１１も一体に引っ張られることになり薄くて弱いコンクリートフーチング１０５が破壊される恐れがあるので、コンクリート充填鋼管１０１とドーナツ状網筋１１１は接するが、互いに固着はしないような構造となっている。
【００２７】
また、ドーナツ状網筋１１１の網状部にはコンクリートが充填されることにより、埋設部材としての強度を高めることができる。
【００２８】
また、付着向上を図る補強金網においては、加工を行いやすい既製品を用いることでコストの低減を図ることができる。
【００２９】
図６は本発明の第３実施例を示すドーナツ状鋼板を有するＣＦＴとコンクリートフーチング接合部構造の模式図、図７はそのドーナツ状鋼板の平面図である。なお、図１と同様の部分は、同じ符号を付してそれらの説明は省略する。
【００３０】
この実施例においては、ドーナツ状鋼板１２１をコンクリートフーチング１０５の表面近傍に配置するとともに、コンクリート充填鋼管１０１に支圧補強板としてのドーナツ状鋼板１２１の内径部を固着（溶接）するようにしている。このドーナツ状鋼板１２１は２〜４個の鋼板を組み合わせて溶着して一枚のドーナツ状鋼板１２１を構成するようにしている。なお、１２２はコンクリート充填鋼管１０１との固着（溶着）部である。
【００３１】
このように構成したので、コンクリート充填鋼管１０１にかかる垂直荷重及び水平荷重をドーナツ状鋼板１２１で受けることができる。なお、コンクリート充填鋼管１０１にかかる垂直方向の引っ張り荷重の場合には、コンクリートフーチング１０５の破壊を防ぐことができる。
【００３２】
この実施例のドーナツ状鋼板１２１はコンクリートフーチング１０５の型枠としても使用することができる。
【００３３】
また、この実施例におけるドーナツ状鋼板１２１は、第１実施例におけるようにコンクリートフーチング１０５内に埋設されるのではないため、貫通孔１０４を形成する必要はない。
【００３４】
このように、第３実施例によっても、コンクリートフーチングに生じる支圧破壊を防止する。また、コンクリートフーチングの破壊耐力の向上および変形性能の向上を図ることができる。
【００３５】
なお、本発明は上記実施例に限定されるものではなく、本発明の趣旨に基づいて種々の変形が可能であり、これらを本発明の範囲から排除するものではない。
【００３６】
【発明の効果】
以上、詳細に説明したように、本発明によれば、コンクリートフーチングに生じる支圧破壊を防止することができる。破壊耐力の向上および変形性能の向上を図ることができる。
【図面の簡単な説明】
【図１】本発明の第１実施例を示すドーナツ状鋼板を有するＣＦＴとコンクリートフーチング接合部構造の模式図である。
【図２】本発明の第１実施例を示すドーナツ状鋼板の平面図である。
【図３】本発明の第１実施例を示すドーナツ状鋼板のエレメントを示す斜視図である。
【図４】本発明の第２実施例を示すドーナツ状鋼板を有するＣＦＴとコンクリートフーチング接合部構造の模式図である。
【図５】本発明の第２実施例を示すドーナツ状網筋の平面図である。
【図６】本発明の第３実施例を示すドーナツ状鋼板を有するＣＦＴとコンクリートフーチング接合部構造の模式図である。
【図７】本発明の第３実施例を示すドーナツ状網筋の平面図である。
【図８】従来のコンクリート充填鋼管とコンクリートフーチングの接合部構造を示す図である。
【符号の説明】
１０１    コンクリート充填鋼管
１０２    アンカー鉄筋
１０３，１２１    ドーナツ状鋼板（支圧補強板）
１０３Ａ    鋼板エレメント
１０４    貫通孔
１０５    コンクリートフーチング
１１１    ドーナツ状網筋
１２２    固着（溶着）部
【図１】
2004169448.tif 000003
【図２】
2004169448.tif 000004
【図３】
2004169448.tif 000005
【図４】
2004169448.tif 000006
【図５】
2004169448.tif 000007
【図６】
2004169448.tif 000008
【図７】
2004169448.tif 000009
【図８】
2004169448.tif 000010